【手続補正書】
【提出日】平成26年2月28日(2014.2.28)
【手続補正１】
【補正対象書類名】特許請求の範囲
【補正対象項目名】全文
【補正方法】変更
【補正の内容】
【特許請求の範囲】
【請求項１】
遊技者による開始操作が行われることに基づいて複数列の図柄を変動させて行う１回の遊技が図柄表示手段で開始され、１回の遊技の開始に基づき各列の図柄の変動が開始された後、遊技者による停止操作に基づいて対応する列の図柄が停止され、前記１回の遊技が開始される際に複数の当選役の中から当選役を抽選する当選役抽選手段と、前記当選役抽選手段による抽選結果に応じた制御内容で前記停止操作に基づいて対応する列の図柄の停止制御を行う停止制御手段と、を備え、前記停止制御により全列の図柄が停止された結果、前記図柄表示手段に停止された図柄による停止結果に対応する制御が行われる遊技機において、
所定条件の成立を契機に、特典を付与するか否かを決定する特典決定手段と、
前記特典決定手段が決定した内容に基づいて、遊技者に対して特定の図柄を停止させることを促す停止演出を実行させる停止演出制御手段と、
前記特典決定手段によって特典の付与が決定されている場合、前記停止演出が実行された次の遊技の開始を停滞させ、当該遊技の開始を停滞させている間に、停止させている図柄の停止態様から別の停止態様へと変動させるように前記図柄表示手段を制御する停滞演出制御手段と、を備え、
前記停滞演出制御手段は、
前記遊技の開始を停滞させている間に、停止させている図柄の停止態様から、付与される特典に応じた停止態様へと変動させるように前記図柄表示手段を制御することを特徴とする遊技機。
【請求項２】
前記付与される特典に応じた停止態様には、前記特定の図柄を前記図柄表示手段に停止させることが許容された遊技にて前記停止演出が実行され、当該停止演出が実行された次の遊技の開始が停滞されている間に前記特定の図柄が異なる停止態様へと変動される停止態様が含まれることを特徴とする請求項１に記載の遊技機。
【請求項３】
特定条件の成立を契機に、所定回数の遊技の経過を条件に終了する特別遊技が開始され、
前記停止演出を実行する対象の遊技が前記特別遊技の最終回の遊技である場合、前記停止演出を実行する遊技の開始から次の遊技が開始されるまでの間に、付与される特典を報知することを特徴とする請求項１又は請求項２に記載の遊技機。
【請求項４】
前記停滞演出制御手段は、
前記停止演出を実行する対象の遊技が特別遊技の最終回の遊技である場合、当該遊技において全列の図柄に対する停止操作が行われた後に遊技の終了を停滞させることで次の遊技の開始を停滞させ、当該遊技の終了を停滞させている間に、停止させている図柄の停止態様から、付与される特典に応じた停止態様へと変動させるように制御することを特徴とする請求項３に記載の遊技機。
【請求項５】
遊技者による開始操作が行われることに基づいて複数列の図柄を変動させて行う１回の遊技が図柄表示手段で開始され、１回の遊技の開始に基づき各列の図柄の変動が開始された後、遊技者による停止操作に基づいて対応する列の図柄が停止され、前記１回の遊技が開始される際に複数の当選役の中から当選役を抽選する当選役抽選手段と、前記当選役抽選手段による抽選結果に応じた制御内容で前記停止操作に基づいて対応する列の図柄の停止制御を行う停止制御手段と、を備え、前記停止制御により全列の図柄が停止された結果、前記図柄表示手段に停止された図柄による停止結果に対応する制御が行われる遊技機において、
所定条件の成立を契機に、特典を付与するか否かを決定する特典決定手段と、
前記特典決定手段が決定した内容に基づいて、遊技者に対して特定の図柄を停止させることを促す停止演出を実行させる停止演出制御手段と、
前記特典決定手段によって特典の付与が決定されている場合、前記停止演出が実行された次の遊技の開始を停滞させ、当該遊技の開始を停滞させている間に、停止させている図柄の停止態様から別の停止態様へと変動させるように前記図柄表示手段を制御する停滞演出制御手段と、を備え、
前記特典が付与されないときには、前記停止演出が実行される遊技にて前記特定の図柄が前記図柄表示手段に停止されないように構成されており、
前記特典が付与されるときには、前記停止演出が実行される遊技にて前記特定の図柄が前記図柄表示手段に停止される場合と、前記停止演出が実行される遊技にて前記特定の図柄が前記図柄表示手段に停止されずに当該停止演出が実行された次の遊技の開始が停滞されている間に前記特定の図柄が前記図柄表示手段に停止される場合と、が含まれることを特徴とする遊技機。
【手続補正２】
【補正対象書類名】明細書
【補正対象項目名】０００７
【補正方法】変更
【補正の内容】
【０００７】
上記目的を達成するために請求項１に記載の発明は、遊技者による開始操作が行われることに基づいて複数列の図柄を変動させて行う１回の遊技が図柄表示手段で開始され、１回の遊技の開始に基づき各列の図柄の変動が開始された後、遊技者による停止操作に基づいて対応する列の図柄が停止され、前記１回の遊技が開始される際に複数の当選役の中から当選役を抽選する当選役抽選手段と、前記当選役抽選手段による抽選結果に応じた制御内容で前記停止操作に基づいて対応する列の図柄の停止制御を行う停止制御手段と、を備え、前記停止制御により全列の図柄が停止された結果、前記図柄表示手段に停止された図柄による停止結果に対応する制御が行われる遊技機において、所定条件の成立を契機に、特典を付与するか否かを決定する特典決定手段と、前記特典決定手段が決定した内容に基づいて、遊技者に対して特定の図柄を停止させることを促す停止演出を実行させる停止演出制御手段と、前記特典決定手段によって特典の付与が決定されている場合、前記停止演出が実行された次の遊技の開始を停滞させ、当該遊技の開始を停滞させている間に、停止させている図柄の停止態様から別の停止態様へと変動させるように前記図柄表示手段を制御する停滞演出制御手段と、を備え、前記停滞演出制御手段は、前記遊技の開始を停滞させている間に、停止させている図柄の停止態様から、付与される特典に応じた停止態様へと変動させるように前記図柄表示手段を制御することを要旨とする。
【手続補正３】
【補正対象書類名】明細書
【補正対象項目名】０００８
【補正方法】変更
【補正の内容】
【０００８】
請求項２に記載の発明は、請求項１に記載の遊技機において、前記付与される特典に応じた停止態様には、前記特定の図柄を前記図柄表示手段に停止させることが許容された遊技にて前記停止演出が実行され、当該停止演出が実行された次の遊技の開始が停滞されている間に前記特定の図柄が異なる停止態様へと変動される停止態様が含まれることを要旨とする。
【手続補正４】
【補正対象書類名】明細書
【補正対象項目名】０００９
【補正方法】変更
【補正の内容】
【０００９】
請求項３に記載の発明は、請求項１又は請求項２に記載の遊技機において、特定条件の成立を契機に、所定回数の遊技の経過を条件に終了する特別遊技が開始され、前記停止演出を実行する対象の遊技が前記特別遊技の最終回の遊技である場合、前記停止演出を実行する遊技の開始から次の遊技が開始されるまでの間に、付与される特典を報知することを要旨とする。
【手続補正５】
【補正対象書類名】明細書
【補正対象項目名】００１０
【補正方法】変更
【補正の内容】
【００１０】
請求項４に記載の発明は、請求項３に記載の遊技機において、前記停滞演出制御手段は、前記停止演出を実行する対象の遊技が特別遊技の最終回の遊技である場合、当該遊技において全列の図柄に対する停止操作が行われた後に遊技の終了を停滞させることで次の遊技の開始を停滞させ、当該遊技の終了を停滞させている間に、停止させている図柄の停止態様から、付与される特典に応じた停止態様へと変動させるように制御することを要旨とする。
【手続補正６】
【補正対象書類名】明細書
【補正対象項目名】００１１
【補正方法】変更
【補正の内容】
【００１１】
請求項５に記載の発明は、遊技者による開始操作が行われることに基づいて複数列の図柄を変動させて行う１回の遊技が図柄表示手段で開始され、１回の遊技の開始に基づき各列の図柄の変動が開始された後、遊技者による停止操作に基づいて対応する列の図柄が停止され、前記１回の遊技が開始される際に複数の当選役の中から当選役を抽選する当選役抽選手段と、前記当選役抽選手段による抽選結果に応じた制御内容で前記停止操作に基づいて対応する列の図柄の停止制御を行う停止制御手段と、を備え、前記停止制御により全列の図柄が停止された結果、前記図柄表示手段に停止された図柄による停止結果に対応する制御が行われる遊技機において、所定条件の成立を契機に、特典を付与するか否かを決定する特典決定手段と、前記特典決定手段が決定した内容に基づいて、遊技者に対して特定の図柄を停止させることを促す停止演出を実行させる停止演出制御手段と、前記特典決定手段によって特典の付与が決定されている場合、前記停止演出が実行された次の遊技の開始を停滞させ、当該遊技の開始を停滞させている間に、停止させている図柄の停止態様から別の停止態様へと変動させるように前記図柄表示手段を制御する停滞演出制御手段と、を備え、前記特典が付与されないときには、前記停止演出が実行される遊技にて前記特定の図柄が前記図柄表示手段に停止されないように構成されており、前記特典が付与されるときには、前記停止演出が実行される遊技にて前記特定の図柄が前記図柄表示手段に停止される場合と、前記停止演出が実行される遊技にて前記特定の図柄が前記図柄表示手段に停止されずに当該停止演出が実行された次の遊技の開始が停滞されている間に前記特定の図柄が前記図柄表示手段に停止される場合と、が含まれることを要旨とする。
【手続補正７】
【補正対象書類名】明細書
【補正対象項目名】０３１８
【補正方法】変更
【補正の内容】
【０３１８】
次に、上記実施形態及び別例から把握できる技術的思想を以下に追記する。
（イ）前記特典決定手段は、前記特定特典を決定した場合、前記停滞演出制御手段により図柄の停止態様が変動される回数を決定するように構成され、前記特定特典の価値と前記図柄の停止態様が変動される回数に基づいて、図柄の停止態様が変動される毎に報知する特別特典の価値が前記特定特典の価値よりも低くならないように各特別特典の価値を決定する。